(57)【特許請求の範囲】
【請求項１】
錠箱内にカムボスを所定量回転可能に設け、このカムボスの角孔を有する幅広嵌合部の一側面にガタ防止孔を有するガタ抑止片を併設すると共に、前記ガタ防止角孔の内面が角軸の外面に常時圧接するように該ガタ抑止片を角軸の周方向に常時付勢する付勢手段を錠箱内に配設したことを特徴とするハンドルのガタ止め構造。
【請求項２】
請求項１に於いて、付勢手段は、付勢バネと、該付勢バネとガタ抑止片の指状突起部との間に介在する摺動押圧子とから成ることを特徴とするハンドルのガタ止め構造。
【発明の詳細な説明】
【技術分野】
【０００１】
本発明は、ハンドルのガタ止め構造に関する。
【背景技術】
【０００２】
特許文献１には、「レバーハンドルのハンドル軸をラッチハブのハブ穴とレバーハンドルのハンドル軸取付け穴とに嵌挿して、上記ハンドル軸の端部に上記レバーハンドルを固定したレバーハンドル錠において、上記ハンドル軸は、軸横断面四角形の第１部材と第２部材とから成り、前記両部材の対向面で互いに相反する片側縁の全長に角落ち部ともう片側縁の全長にＶ字状の突条とを設け、第１部材と第２部材を角落ち部と突条とをすべり移動するよう接触させて上記両部材の対向面間に間隙を設け、前記第１部材と第２部材の片方に上記レバーハンドル外部からねじ込むネジの押圧力を作用させて、すべり移動する上記両部材をハブ穴と取付け穴との内壁に圧着固定するようにしたことを特徴とするレバーハンドル錠」が開示されている。
【０００３】
上記特許文献１は、軸用の角穴を有する室内側のレバーハンドル、錠箱内のラッチハブ等の回転体の内壁面に棒状体の角軸の先端部や中央部をそれぞれ圧接する構成或いは方法として、「ねじ」を用い、かつ「機械的に圧着固定」するもと言える。したがって、レバーハンドルのガタ付き防止の効果を得ることができるという利点を有するものの、角軸を二分割にして、それらの接合する側縁部分を精度良く加工する必要性があった。
【０００４】
なお、本発明の実施例に関連する扉錠の一例は、特許文献２に記載されている。特許文献２に記載の扉錠は、本願発明と発明の目的が異なるものの、ハンドルを操作すると、ハンドルの角軸が貫通するカムボスを介して、ラッチボルトがラッチバネのバネ力に抗して錠箱内に後退する事項が開示されている。
【特許文献１】実公平７−１４５７７号公報
【特許文献２】特開平１０−１８６６６号公報
【発明の開示】
【発明が解決しようとする課題】
【０００５】
特許文献１に記載の実施例は、ラッチハブのハブ穴とハンドルの軸取付け穴にそれぞれ嵌挿する角軸を、ハブ穴の対向内壁面並びに角軸の外面が同時に圧接することであるから、ハンドルのガタ付き防止の効果を十分に得ることができる。そこで、本発明の所期の目的は、角軸をニ分割、角軸の縁辺の加工等をしなくても、特許文献１とは全く異なる技術的原理により、特許文献１と同様の目的を実現することができることである。第２の目的は、カムボス及びガタ付き防止用のガタ抑止片の各角孔に同時に角軸を嵌め込むだけで、本発明の所期の目的（ハンドルのガタ付き防止）を達成することができることである。付言すると、錠箱内にカムボスの一側面に併設するように設けたハンドルのガタ付き防止用ガタ抑止片のガタ防止孔に角軸を貫通状態に嵌挿するだけで、ハンドルのガタ付き防止の効果を得ることができる。
【課題を解決するための手段】
【０００６】
本発明のハンドルのガタ止め構造は、錠箱内にカムボスを所定量回転可能に設け、このカムボスの角孔を有する幅広嵌合部の一側面にガタ防止孔を有するガタ抑止片を併設すると共に、前記ガタ防止角孔の内面が角軸の外面に常時圧接するように該ガタ抑止片を角軸の周方向に常時付勢する付勢手段を錠箱内に配設したことを特徴とする。
【発明の効果】
【０００７】
角軸をニ分割、角軸の縁辺の加工等をしなくても、特許文献１とは全く異なる技術的原理により、ハンドルのガタ付き防止用のガタ抑止片及びカムボス（ラッチハブ）の各角孔（ハブ穴とガタ防止角孔の両方）に角軸を貫通状態に嵌挿するだけで、ハンドルのガタ付き防止の効果を簡単に得ることができる。
【０００８】
すなわち、本発明では、カムボス１５とは別個独立のハンドルのガタ付き防止用のガタ抑止片１８に対して付勢手段２１を錠箱１のバネ収納部９に配設したので、角軸１７をガタ抑止片１８及びカムボス（ラッチハブ）１５の各角孔（ハブ穴とガタ防止角孔の両方）に貫通状態に嵌挿すると、第１次的には、該付勢手段２１のバネ力は、ガタ抑止片１８のガタ防止角孔の内面が角軸の外面に常時圧接するように該ガタ抑止片１８の指状突起部１８ａにかかり、また、二次的には、該付勢手段２１のバネ力は、ガタ抑止片１８、該ガタ抑止片１８のガタ防止角孔を貫通する角軸１７を介して間接的にカムボス１５の腕部１５ｂが収納部８の前方内壁面８ａに圧接するように該カムボス１５にかかるので、いわば、角軸１７は両方の部材１８、１５に挟持された状態となり、ハンドルのガタを防止することができる。
【発明を実施するための最良の形態】
【０００９】
以下、図１乃至図４に示す本発明を実施するための最良の形態（第１実施例）により説明する。
【００１０】
（１）発明の実施の環境
図１乃至図３は発明の実施の環境を示す各概略説明図である。図１は、扉錠の内部構造を示す概略説明図である。付言すると、角軸１７をガタ抑止片１８及びカムボス（ラッチハブ）１５の各角孔（ハブ穴とガタ防止角孔の両方）に貫通状態に嵌挿したので、第１次的には、該付勢手段２１のバネ力は、ガタ抑止片１８のガタ防止角孔の内面が角軸の外面に常時圧接するように該ガタ抑止片１８の指状突起部１８ａにかかり（ガタ抑止片１８の指状突起部１８ａが収納部８の下部内壁面から左側に若干離れている理由は、角軸１７を強制的に嵌挿したからである。したがって、付勢手段２１のバネ力は、常に、ガタ抑止片１８にかかっている。）また、二次的には、該付勢手段２１のバネ力は、ガタ抑止片１８、該ガタ抑止片１８のガタ防止角孔を貫通する角軸１７を介して間接的にカムボス１５の腕部１５ｂが収納部８の前方内壁面８ａに圧接するように該カムボス１５にかかっている。
【００１１】
また、図２は主に錠箱に設けたラッチボルトとラッチバネの位置関係を示す概略説明図、図３は、図示しないハンドルを所定量回転操作した場合の概略説明図である。
【００１２】
図１乃至図３に於いて、１は扉錠の錠箱で、この錠箱１は、ケース身１ａとケース蓋１ｂとから成る。ここで、まず、錠箱（ケース身１ａ）１の構成を説明する。２は前板部で、この前板部２の前面には不番の固着具を介してフロント３が固定される。該フロント３及び前記前板部２には、反転ラッチやラッチ本体用の開口４が形成されている。この開口４を基準として、ケース身１ａの後壁部５まで、大・小の切欠空間が連通状態に形成されている。
【００１３】
すなわち、６は反転ラッチやラッチ本体用の開口４に連通する受け入れ部で、この反転ラッチやラッチ本体受け入れ部６は、反転ラッチ用水平作動杆やラッチボルト（本実施例）１１が後退した時に、例えばラッチ本体（本実施例）１１ａを受け入れる。
【００１４】
また、７は前記受け入れ部６に不番の環状溝を介して連通するラッチ用案内部で、このラッチ用案内部７は、例えばラッチボルト１１のフランジ部１１ｅを案内する。そして、８は前記ラッチ用案内部７に連通するカムボス収納部で、このカムボス収納部８は、ラッチ用案内部７に交差する方向（縦方向）に幅広に形成されている。カムボス収納部８は、ケース身１ａの下部に前板部２から横方向に所定量形成されたバネ収納部９にも連通している。
【００１５】
ところで、前記カムボス収納部８は、ラッチ用案内部７に連通する側の前方内壁面８ａにカムボス１５の腕部１５ｂが当接し、一方、前方内壁面８ａに対向する後方内壁面８ｂには、特に符号を付さないが、ラッチバネ１２の後端部を受ける横向き凹所状のバネ端受け面、ガタ付き防止用ガタ抑止片の指状突起部が当接する受け面がそれぞれ適宜に形成されている。
【００１６】
次に、錠箱１に組み込まれる各部材について説明する。１１は、例えばラッチボルトで、このラッチボルト１１は、ラッチ本体１１ａ、該ラッチ本体１１ａに先端部が固定された短杆状大径部１１ｂ、該大径部１１ｂに連設する長杆状小径部１１ｃ、この小径部１１ｃの後端部に周設されたバネ受け兼用カム受け部１１ｄ、小径部１１ｃと前記大径部１１ｂの境目に周設されたフランジ部１１ｅを有し、前記バネ受け兼用カム受け部１１ｄと前述したカムボス収納部８の後方内壁面８ｂのバネ端受け面の間には、ラッチバネ１２が設けられている。
【００１７】
したがって、ラッチボルト１１は、フランジ部１１ｅが案内部７側の環状溝に嵌め込まれた弾性リング１３に圧接するように常時付勢されており、常態では、図１で示すように、ラッチ本体１１ａがフロント３の開口４から突出している。
次に、１５はカムボス収納部８に配設されたカムボス（例えば反転ラッチやラッチ本体後退用のラッチハブとかラッチカムと称される部材）で、このカムボス１５は、図４で示すように、角軸１７用の角孔１６を有する幅広嵌合部１５ａと、この幅広嵌合部１５ａの外周面から半径外方向に延在する腕部１５ｂとを有し、前記腕部１５ｂはカムボス収納部８の前方内壁面８ａとラッチボルト１１のバネ受け兼用カム受け部１１ｄとの間に位置付けられている。
【００１８】
（２）発明の主要部−ハンドルのガタ止め構造
例えばラッチボルト１１は、錠箱１に、その開口４を基準とし出没自在に取付けられていることから、図示しないハンドルの操作により回転する角軸１７及びカムボス１５の腕部１５ｂを介して錠箱１内へと後退する。付言すると、ラッチボルト１１は、操作部材の操作力により、ハンドル軸（角軸）１７及びカムボス１５を介してフロント３から錠箱内へと引っ込む（図３参照）。その際、普通一般に、ハンドル軸と称される角軸１７の外周面１７ａとカムボス１５の角孔１６の内壁面１６ａの間に多少の隙間があるため、ハンドルに、いわゆるガタ付きが発生する。
【００１９】
そこで、本発明のハンドルのガタ止め構造Ｘは、ハンドルのガタ付き防止のために、カムボス収納部８内にカムボス１５と共に、ハンドルのガタ付き防止用のガタ抑止片１８を配設し、少なくとも角軸１７と共働するガタ抑止片１８でもって、ハンドルのガタ付き防止を果たしている。
【００２０】
そこで、カムボス１５の幅広嵌合部１５ａの一側面（例えば図１で示すように手前の側面）に円盤状のガタ抑止片１８を併設すると共に、該ガタ抑止片１８を角軸１７の周方向に常に付勢する付勢手段２１を、前記カムボス収納部８の下部ないしバネ収納部９に設け、前記ガタ抑止片１８のガタ防止孔１９及びカムボス１５の角孔１６に貫通状態に角軸１７を嵌挿した。
【００２１】
前記ガタ抑止片１８は、カムボス１５と同様にガタ防止孔１９を有する。このガタ防止孔１９はカムボス１５の角孔１６と略同一の大きさに形成されている。そして、角軸１７をガタ防止孔１９及びカムボス１５の角孔１６に嵌挿すると、これらの角孔は揃う。
また、ガタ抑止片１８は、カムボス１５の腕部１５ｂとは反対方向に延在する指状突起部１８ａを有する。なお、ガタ抑止片１８の外周は、カムボス収納部８の内壁面８ａ、８ｂに摺接ないし当接するように適宜の形状に形成されている。
【００２２】
一方、前記付勢手段２１は、本実施例では、ケース身１ａのバネ収納部９に組み込まれた比較的強い付勢バネ２１ａと、この付勢バネ２１ａの端部とガタ抑止片１８の指状突起部１８ａとの間に配設された摺動押圧子２１ｂとから成り、前記摺動押圧子２１ｂの一端部（図面上右端部）はガタ抑止片１８の指状突起部１８ａに押圧係合し、少なくともガタ抑止片１８のガタ防止孔１９の内壁面１９ａが角軸１７の外壁面１７ａに圧接するように、ガタ抑止片１８を、例えば反時計方向へと常に付勢している。
【００２３】
なお、ガタ抑止片１８は、カムボス１５とは別個独立の部材であり、本実施例では、カムボス１５の軸方向の手前側面に併設され、かつ付勢手段２１の付勢バネ２１ａのバネ力により、そのガタ防止孔１９の内壁面１８ａが角軸１７の外壁面１７ａに圧接するように常時付勢されている、
（３）バネ部材等の作用
ラッチバネ１２と付勢手段２１の付勢バネ２１ａは、別個独立の部材である。すなわち、前者のラッチバネ１２は、ラッチボルト１１を所期位置に戻すためのバネであり、一方、後者の付勢バネ２１ａは、ガタ抑止片１８を角軸１７に常に圧接させるためのバネである。本実施例の付勢バネ２１ａは、ガタ抑止片１８を角軸１７の周方向に常に付勢することにより、ガタ抑止片１８は、そのガタ防止孔１９の内壁面１９ａを介して角軸１７の外壁面１７ａを、いわば握り締める。
【００２４】
本発明のハンドルのガタ止め構造Ｘは、錠箱１内にカムボス１５を所定量回転可能に設け、このカムボスの角孔１６を有する幅広嵌合部１５ａの一側面にガタ防止孔１９を有するガタ付き防止用のガタ抑止片１８を併設すると共に、該ガタ抑止片を角軸１７の周方向に常に付勢する付勢手段２１を錠箱１内に配設し、前記ガタ防止孔１９及び角孔１６に前記角軸１７を貫通状態に嵌挿すると、錠箱１内の付勢手段２１の付勢力により、前記ガタ付き防止用ガタ抑止片１８のガタ防止孔１９の内壁面１９ａが角軸１７の外壁面１７ａに圧接する。
【００２５】
付言すると、角軸１７をガタ抑止片１８のガタ防止孔１９とカムボスの角孔１６に挿入すると、ガタ防止孔１９と角孔１６は揃った状態又は揃わない状態で、付勢手段２１の付勢力により、ガタ付き防止用のガタ抑止片１８のガタ防止孔１９の内壁面１９ａが角軸１７の外壁面１７ａに圧接する。
【００２６】
図１、図３及び図４は、バネ部材１２、２１ａ等の作用を示す各概念図である。図３では、図示しないハンドルを押し下げたので、角軸１７及びカムボス１５が時計方向に所定量回転し、そのためにラッチバネ１２及び付勢手段２１の付勢バネ２１ａがそれぞれ収縮している状態を示す。この時、ラッチバネ１２はラッチボルト１１を押し戻す方向へ作用している。
【００２７】
そこで、ハンドルから手を放すと、図１及び図４の状態と成る。図１の状態については前述した通りである。また、図４では、まず、ラッチバネ１２が矢印Ａ方向に作用しているため、カムボス１５の腕部１５ｂの背面がラッチボルト１１のバネ受け兼用カム受け部１１ｄの前面に押圧され、その結果、カムボス１５の腕部１５ｂの前面がカムボス収納部８の前方内壁面８ａに圧接する。この時、例えばカムボス１５の幅広嵌合部１５ａの角孔１６の対向する左右・上下の対向内壁面１６ａは斜めの状態である。
【００２８】
付言すると、カムボス１５の腕部１５ｂが、付勢手段２１のバネ力により、ガタ抑止片１８及び角軸１７を介してカムボス収納部８の前方内壁面８ａに当たっているために、カムボス１５の角度は固定状態となり、当然、角孔１６の対向する左右上下の対向内壁面１６ａも所定位置に固定される。
【００２９】
一方、ガタ抑止片１８は、付勢手段２１及び指状突起部１８ａを介して反時計方向に回転力を受けることから、結局、角軸１７は、カムボス１５並びにガタ抑止片１８の両方の部材で軸方向の所定位置の二箇所でそれぞれ当接ないし圧接され、本発明の所期の目的を達成することができる。
【実施例】
【００３０】
発明の実施の形態で示した第１実施例では、ガタ抑止片１８のガタ防止孔１９の内径は、カムボス１５の角孔１６と同径であっても良い。また、前記ガタ防止孔１９及び角孔１６に角軸１７を同時に挿入した場合に於いて、ガタ防止孔１９と角孔１６は略揃うようになっても良いし、又は揃わなくても良い。要は、角軸１７を両方の角孔１６、１９に貫通状態に嵌挿した場合に於いて、錠箱１内に配設した付勢手段２１の付勢力により、前記ガタ抑止片１８のガタ防止孔１９の内壁面１９ａが角軸１７の外壁面１７ａに圧接すれば良い。
【００３１】
なお、ガタ抑止片１８は筒状の円盤体であるが、もちろん、短筒状に形成しても良い。また、本実施例ではラッチボルト１１を一例にして説明したが、これに限定されるものではなく、いわゆる反転ラッチ、反転ラッチを突出方向に付勢する反転ラッチ付勢手段を備えた扉錠にも適用することができる。
【産業上の利用可能性】
【００３２】
本発明は、主に錠前や建具の業界で利用される。
【図面の簡単な説明】
【００３３】
図１乃至図４は本発明の最良の実施例を示す各説明図。
【図１】発明の実施の環境を示す概略説明図（扉錠の内部構造を示す概略説明図）。
【図２】ラッチボルトとラッチバネの位置関係を示す概略説明図。
【図３】図示しないハンドルを所定量回転操作した場合の概略説明図。
【図４】バネ部材の作用を示す概略説明図。
【符号の説明】
【００３４】
Ｘ…ハンドルのガタ止め構造、１…錠箱、２…前板部、３…フロント、４…開口、５…後壁部、６…受け入れ部、８…カムボス収納部、８ａ…前方内壁面、９…バネ収納部、１１…ラッチボルト、１１ｄ…バネ受け兼用カム受け部、１２…ラッチバネ、１３…弾性リング、１５…カムボス、１５ａ…幅広嵌合部、１５ｂ…腕部、１６…カムボスの角孔、１６ａ…角孔の内壁面、１７…角軸、１７ａ…角軸の外壁面、１８…ガタ抑止片、１８ａ…指状突起部、１９…ガタ抑止片のガタ防止孔、１９ａ…ガタ防止孔の内壁面、２１…付勢手段、２１ａ…付勢バネ、２１ｂ…摺動押圧子。
【図１】
0005081006.tif 000002
【図２】
0005081006.tif 000003
【図３】
0005081006.tif 000004
【図４】
0005081006.tif 000005